(57)【要約】【課題】収納装置の構造を簡素化するとともに、物品の取り出し及び収納操作を容易に行うことができる収納装置を提供する。【解決手段】平面視略Ｌ字状に配置され、入り隅部７の両側に開口部４を有する収納体３と、収納体３の内部空間Ｚにおける出隅部８側に配置され、開口部４に向けて移動可能な第１棚体５と、第１棚体５の両側方に配置され、内部空間Ｚに開口部４を介して出し入れ可能な第２棚体６と、から少なくとも構成される収納装置１であって、内部空間Ｚには、第１棚体５の移動を案内する案内手段１０が設けられているとともに、案内手段１０に対して第１棚体５が回転可能に枢支されている。【選択図】図６
2013165837.tif 000002
【特許請求の範囲】
【請求項１】
平面視略Ｌ字状に配置され、入り隅部の両側に開口部を有する収納体と、該収納体の内部空間における出隅部側に配置され、前記開口部に向けて移動可能な第１棚体と、該第１棚体の両側方に配置され、前記内部空間に前記開口部を介して出し入れ可能な第２棚体と、から少なくとも構成される収納装置であって、
前記内部空間には、前記第１棚体の移動を案内する案内手段が設けられているとともに、該案内手段に対して前記第１棚体が回転可能に枢支されていることを特徴とする収納装置。
【請求項２】
前記第１棚体は、平面視略矩形状に形成されているとともに、該第１棚体の角部が前記出隅部に合致して配置されていることを特徴とする請求項１に記載の収納装置。
【発明の詳細な説明】
【技術分野】
【０００１】
本発明は、平面視略Ｌ字状に配置され、入り隅部の両側に開口部を有する収納体と、該収納体の内部空間における出隅部側に配置され、前記開口部に向けて移動可能な第１棚体と、該第１棚体の両側方に配置され、前記内部空間に前記開口部を介して出し入れ可能な第２棚体と、から少なくとも構成される収納装置に関する。
【背景技術】
【０００２】
従来の収納装置は、平面視略Ｌ字状の収納キャビネットの入隅部に主開口を有して主開口から出し入れ移動自在なワゴンと、出隅側の面に設けた副開口を有して副開口から副収納区画部に引き出し自在なワゴンと、を備えている（例えば、特許文献１参照）。
【０００３】
また、台所の入り隅に配置し、入り隅と対向する箇所に開口部を設け、開口部からコーナーの奥に向かって、車輪を備えて開口部を塞ぐようにした移動ワゴンを出し入れ自在に設けるとともに、移動ワゴンの両側の形成される三角柱状空間を埋める車輪を備えたスライド収納ラックを、案内レールにより開口部から出し入れ自在で、且つ取り外し自在に設けるようにした収納装置もある（例えば、特許文献２参照）。
【先行技術文献】
【特許文献】
【０００４】
【特許文献１】特開２００５−１０２９７４号公報（第８頁、第５図）
【特許文献２】特許第４３１２９３５号公報（第１頁、第２図）
【発明の概要】
【発明が解決しようとする課題】
【０００５】
しかしながら、特許文献１に記載の収納装置にあっては、主開口とは別途に副開口を設ける必要があるだけでなく、収納キャビネット内部に副収納区画部を設けるため、収納装置の製造コストが高騰するという慮がある。更に、この副開口を介してワゴン及び物品を取り出さなくてはいけないため、副開口側にワゴン及び物品を取り出すスペースが必要となるばかりか、出隅側に回り込んでワゴン及び物品を取り出さなくてはならず、使用に際し不便であるという問題がある。
【０００６】
また、特許文献２に記載の収納装置にあっては、移動ワゴンを開口部からコーナーの奥に向けて出し入れする際に、移動ワゴンを所定の角度以外で出し入れするとスライド収納ラックに引っかかるようになっているため、移動ワゴンを正確な角度で出し入れさせることが要求されるが、移動ワゴンは、車輪を使用して奥に出し入れが行われるようになっており、常に正確な角度で出し入れすることが困難であるという問題がある。
【０００７】
本発明は、このような問題点に着目してなされたもので、収納装置の構造を簡素化するとともに、物品の取り出し及び収納操作を容易に行うことができる収納装置を提供することを目的とする。
【課題を解決するための手段】
【０００８】
前記課題を解決するために、本発明の収納装置は、
平面視略Ｌ字状に配置され、入り隅部の両側に開口部を有する収納体と、該収納体の内部空間における出隅部側に配置され、前記開口部に向けて移動可能な第１棚体と、該第１棚体の両側方に配置され、前記内部空間に前記開口部を介して出し入れ可能な第２棚体と、から少なくとも構成される収納装置であって、
前記内部空間には、前記第１棚体の移動を案内する案内手段が設けられているとともに、該案内手段に対して前記第１棚体が回転可能に枢支されていることを特徴とすることを特徴としている。
この特徴によれば、案内手段が設けられていることにより、常に同じ軌道で開口部に向けて第１棚体を移動させ、手前側に引き寄せることができるため、第１棚体に収納された物品を取り出し易く、第１棚体の位置決めが確実に成され、この第１棚体と収納体との間に形成された間隙に沿って第２棚体を容易に出し入れすることができる。そのため、第２棚体を収納するスペースを特段区画せずに、第１棚体を利用して第２棚体を収納することができ、且つ開口部を用いて第１棚体の移動及び第２棚体の出し入れを行うことができ、特別な開口を別途に設けること無く収納装置の構造を簡素化することができる。さらに、第１棚体を開口部に向けて一定距離引き出し、回転させることができるため、より手前側で取り出し及び収納作業を行うことができる。
【０００９】
本発明の収納装置は、
前記第１棚体は、平面視略矩形状に形成されているとともに、該第１棚体の角部が前記出隅部に合致して配置されていることを特徴としている。
この特徴によれば、平面視略矩形状に形成された第１棚体の角部が出隅部に合致して配置されることで、第１棚体と収納体との間に形成される間隙の形状も平面視略矩形状となる。これにより、該間隙の形状に合わせて第２棚体を設計することで、内部空間にデッドスペースが形成されることを防ぎ、最大限の収納面積を得ることができるとともに、収納体における入り隅部の両側の側辺が左右非対称の場合にも対応することができる。更に、第１棚体の側辺に沿って第２棚体の取り出し及び収納操作を容易、且つ正確に行うことができる。
【図面の簡単な説明】
【００１０】
【図１】実施例１における収納装置を示す斜視図である。
【図２】収納装置を示す側面図である。
【図３】第１棚体及び第２棚体の配置を示す一部が透視された斜視図である。
【図４】基板がレールに沿って移動する様子を示す斜視図である。
【図５】レールに基部及び基板が取り付けられた様子を示す側断面図である。
【図６】収納体の内部空間に第１棚体及び第２棚体が配置された状態を示す平面断面図である。
【図７】図６の状態から第２棚体を取り出した様子を示す平面断面図である。
【図８】図７の状態から第１棚体の一部を外方に露出させた様子を示す平面断面図である。
【図９】図８の状態から第１棚体を回転させる様子を示す平面断面図である。
【図１０】実施例２における収納装置を示す平面断面図である。
【図１１】図１０の状態から第２棚体を取り出した後、第１棚体を移動させた様子を示す平面断面図である。
【発明を実施するための形態】
【００１１】
本発明に係る収納装置を実施するための形態を実施例に基づいて以下に説明する。
【実施例１】
【００１２】
実施例１に係る収納装置につき、図１から図９を参照して説明する。以下、図１または図４の紙面手前側を収納装置の正面側（前方側）として説明する。
【００１３】
図１の符号１は、台所の壁面に沿って設置されるシステムキッチン２の角部に配置される本発明の収納装置である。図１及び図２に示すように、この収納装置１は、その内部に中空の内部空間Ｚを有して前方側に内部空間Ｚと連通する開口部４を有する収納体３と、収納体３の背面側の内部空間Ｚに配置されて開口部４に向けて移動可能な第１棚体５と、第１棚体５の両側方に配置されて内部空間Ｚに開口部４を介して出し入れ可能な第２棚体６、６と、から主に構成されている。
【００１４】
先ず、この収納体３について図１から図５を用いて説明する。収納体３は、システムキッチン２の角部に配置されるべく平面視略Ｌ字状に形成されており、該略Ｌ字状の窪んだ部分である入り隅部７に開口部４が形成されている。すなわち、収納体３は、入り隅部７が前方側と成っているとともに、入り隅部７と対向する出隅部８がシステムキッチン２の角部を向き、この出隅部８が背面側と成っている。更に図２に示すように、この収納体３がシステムキッチン２の角部に配置された状態において、収納体３の底面３ａは、台所の床面と面一に成っている。
【００１５】
また、開口部４は、入り隅部７を境にした左右両側の全面が開口しているとともに、開口部４は、入り隅部７を中心とした観音開き状に開閉可能に取り付けられた前板９，９によって閉塞されている。尚、開口部は、本実施例に限らず、例えば、入り隅部の面を一部切り欠いて形成されてもよく、様々な態様に合わせて設計することができる。尚、本実施例における前板は、観音開き状に開閉可能に成っているものに限らず、例えば、第２棚体の前面に取り付けられ、第２棚体の移動に伴って開口部を開閉できるものでも構わない。
【００１６】
図４及び図５に示されるように、この収納体３の内部空間Ｚには、第１棚体５の移動を案内する本発明の案内手段であるレール１０が設けられている。このレール１０は、収納体３の底面３ａにボルト等によって固定され、且つ出隅部８側から入り隅部７側に向けて略直線状に敷設されている。更に、本実施例におけるレール１０は、左右方向に所定間隔離間して配置される２本のレール片１０ａ，１０ａ’から構成されており、このレール片１０ａ，１０ａ’には、互いに向き合って突設された凸部１０ｂ、１０ｂ’が形成されている。
【００１７】
また、レール１０の前後方向の端部には、第１棚体５の移動を係止するストッパ部材１１、１１が設けられている。つまり、第１棚体５は、レール１０におけるストッパ部材１１、１１の間の範囲で移動が可能となっているとともに、ストッパ部材１１、１１に係止されることによって、収納体３と衝突することが防がれる。尚、レールにストッパ部材を特段設けず、例えば、収納体の側面に緩衝材等を設け、収納体と第１棚体との衝突を抑えてもよい。また、このレールの長さは、収納体の内部空間の範囲内であれば適宜変更することができる。
【００１８】
次に、第１棚体５について説明する。図３ないし図５に示されるように、第１棚体５は、レール１０に対して摺動可能な基部５ａと、物品を収納可能な収納部５ｂと、を備えている。尚、第１棚体５は、平面視略矩形状に形成されている。また、基部５ａは、レール片１０ａ，１０ａ’の間に配置される介設部材５３と、介設部材５３の両側面に配設される嵌合部材５２、５２’と、によって構成される。そして、これら嵌合部材５２、５２’及び介設部材５３は、ネジ５４によって接続されている。
【００１９】
このように構成された基部５ａは、嵌合部材５２、５２’が凸部１０ｂ、１０ｂ’に嵌合することでレール１０に対して摺動可能と成っている。また、嵌合部材５２、５２’には、凸部１０ｂ、１０ｂ’との間隙にローラー１３がレール１０の延設方向に所定間隔離間して複数配設されており、これにより基部５ａがレール１０を円滑に摺動できるように成っている。
【００２０】
そして、図３及び図５に示すように、第１棚体５の底板である基板５１は、基部５ａに対してボールベアリング等の軸受部材１２ａを備えた回転軸１２を介して接続されており、この回転軸１２回りに回転可能に枢支されている。つまり第１棚体５が水平方向に回転可能となっている。このように第１棚体５を回転させることで、第１棚体５の奥側に収納された物品を手前側に向けることができ、物品を容易に取り出すことができる。
【００２１】
また、収納部５ｂは、基板５１の各角部から上方に延設される支柱５５にカゴ５６が上下に３個取り付けられており、これらのカゴ５６内に物品を効率よく収納することができる。尚、収納部は、本実施例の態様に限らず、カゴを所望の数量設けることができ、またカゴを着脱可能に配置してもよく、様々な態様に適用することができる。
【００２２】
次に、第２棚体６について説明する。図２及び図３に示されるように、第２棚体６は、収納体３の内部空間Ｚに配置された第１棚体５の両側を埋めるように配置される。そして、この第２棚体６は、平面視において略長方形状であり、且つ側面視において上方に開口する略コ字形状を成すバスケット状に形成されている。
【００２３】
また、第２棚体６の開口部４側には、把手６ａが取り付けられているとともに、第２棚体６の下部には、移動用の部品であるキャスター６ｂが取り付けられている。このキャスター６ｂによって第２棚体６が移動可能となっており、使用者が把手６ａを把持することで第２棚体６を移動させ易くなっている。
【００２４】
このように形成された収納装置１における第１棚体５の取り出し工程について、図６から図９を用いて説明する。また、第１棚体５の収納操作工程については、取り出し工程の反転であり重複するため説明を省略する。
【００２５】
先ず、前述したように、収納体３の内部空間Ｚには、第１棚体５及び第２棚体６，６が収納されている（図６参照）。このとき第１棚体５は、第１棚体５の角部が出隅部８に合致して配置されている。このように、平面視略矩形状に形成された第１棚体５の角部が出隅部８に合致して配置されることで、第１棚体５と収納体３との間に形成される間隙の形状も平面視略矩形状となる。これにより、該間隙の形状に合わせて第２棚体５を容易に設計することでき、内部空間Ｚにデッドスペースが形成されることを防ぎ、最大限の収納面積を得ることができる。
【００２６】
そして、図７に示されるように、第２棚体６、６を第１棚体５に隣接する側辺に沿ってそれぞれ開口部４から取り出す。これにより、第２棚体６の取り出し及び収納操作を第１棚体５の隣接する側辺に沿って容易、且つ正確に行うことができる。このとき、前述したように収納体３の底面３ａは、台所の床面と面一に成っているため、第２棚体６、６をスムーズに収納体３から取り出すことができる。
【００２７】
その後、図８に示されるように、第１棚体５をレール１０に沿って開口部４方向に引き出す。レール１０が設けられていることにより、常に同じ軌道で開口部４に向けて第１棚体５を移動させ、手前側（入り隅部７側）に引き寄せることができるため、第１棚体５に収納された物品を取り出し易く、第１棚体５の位置決めが確実に成され、この第１棚体５と収納体３との間に形成された前記間隙に沿って第２棚体６，６を容易に出し入れすることができる。そのため、第２棚体６、６を収納するスペースを特段区画せずに、第１棚体５を利用して第２棚体６，６を取り出し及び収納操作を行うことができ、且つ開口部４を用いて第１棚体５の移動及び第２棚体６の出し入れを行うことができ、特別な開口を別途に設けること無く収納装置１の構造を簡素化することができる。
【００２８】
また、第１棚体５のその一部は、開口部４から外方に露出する位置まで移動可能に設計されている。すなわち、第１棚体５の一部が開口部４から外方に露出する位置で第１棚体５が前端側のストッパ部材１１に係止されるようになっている。これによれば、第１棚体５を一部外方に露出させることで、第１棚体５に収納された物品を開口部４から外方の空間で容易に取り出すことができ、且つ楽な体勢で作業を行うことができる。尚、第１棚体をレールから取り外し可能に設計し、収納体の内部空間から出し入れ可能にしても構わない。
【００２９】
更に、第１棚体５の奥側（出隅部８側）に配された物品を取り出す際には、図９に示されるように、第１棚体５を水平方向に回転させる。前述したように第１棚体５が、レール１０に対して回転可能に枢支されており、第１棚体５を開口部４に向けて一定距離引き出し、その位置において第１棚体５を回転させることができるため、より手前側で物品の取り出し及び収納作業を行うことができる。
【００３０】
以上説明したように、本発明の収納装置１は、内部空間Ｚに第１棚体５の移動を案内するレール１０が設けられていることにより、常に同じ軌道で開口部４に向けて第１棚体５を移動させ、手前側に引き寄せることができるため、第１棚体５に収納された物品を取り出し易く、第１棚体５の位置決めが確実に成され、この第１棚体５と収納体３との間に形成された間隙に沿って第２棚体６を容易に出し入れすることができる。そのため、第２棚体６を収納するスペースを特段区画せずに、第１棚体５を利用して第２棚体６を収納することができ、且つ開口部４を用いて第１棚体５の移動及び第２棚体６の出し入れを行うことができ、特別な開口を別途に設けること無く収納装置１の構造を簡素化することができる。
【００３１】
次に、実施例２に係る収納装置につき、図１０から図１１を参照して説明する。尚、前記実施例と同一構成で重複する構成を省略する。
【００３２】
本実施例における収納装置２１は、収納体３１の内部空間Ｚ’に対して第１棚体１５、及び第２棚体１６，１６’が配設されている。収納体３１の内部空間Ｚ’は、平面視において入り隅部７より右側が大となっており、左右非対称に形成されている。第１棚体１５の上面には、天板５１１が設けられ、天板５１１に第１棚体１５の基部１５ａが回転可能に取り付けられている。また、一方の第２棚体１６は、正面視において第１棚体１５の左側に配されおり、他方の第２棚体１６’は、第１棚体１５の右側に配されている。すなわち、第２棚体１６と第２棚体１６’とは、非対称の形状に形成されている。
【００３３】
また、この収納体３１の内部空間Ｚ’には、レール１０１が収納体３１の上面に対して取り付けられ、且つ出隅部８側から入り隅部７に向けて略直線状に敷設されており、このレール１０１に対して基部１５ａが摺動可能に取り付けられている。更に、レール１０１の出隅部側の端部には、ストッパ部材１１１が取り付けられており、基部１５ａがストッパ部材１１１に係止するようになっている。
【００３４】
先ず、前記実施例と同様に一方の第２棚体１６、及び他方の第２棚体１６’を第１棚体１５に隣接する側辺に沿って開口部４から取り出す（図示略）。このとき、レール１０１は、収納体３１の上面に敷設されていることから、第２棚体１６、１６’の取り出し移動に差し障りが無く、第２棚体１６、１６’を容易に取り出すことができる。
【００３５】
その後、図１１に示されるように、第１棚体１５がレール１０１に沿って移動させたり、回転させたりすることができるようになっている。このように収納体３１の内部空間が左右非対称の場合にも、第１棚体１５の取り出し及び収納操作に影響なく対応することができる。更に、レール１０１の入り隅部側の端部には、ストッパ部材が設けられていないため、レール１０１から第１棚体１５を取り外すことが可能となっている。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、案内手段にレールが適用されていたがこれに限らず、例えば第１棚体を囲うように壁部を設け、該壁部等を案内手段としても構わない。
【００３８】
また、第２棚体は、複数に分割されて収納体の内部空間に配置されてもよい。さらに、第２棚体は、キャスター等の車輪のみを移動手段とすることに限らず、例えば、レール等の案内手段によって案内されながら移動可能と成ってもよいし、別段移動手段がなくてもよい。
【００３９】
また、収納体の底面は、台所の床面と面一であることに限らず、収納体の下部に配管等のスペースを設け、収納体の底面を台所の床面より所定高さ高い位置に設定してもよい。
【符号の説明】
【００４０】
１                収納装置
３                収納体
４                開口部
５                第１棚体
５ａ              基部
６                第２棚体
７                入り隅部
８                出隅部
１０              レール（案内手段）
１０ａ，１０ａ    レール片
１０ｂ            凸部
１２              回転軸
１５              第１棚体
１５ａ            基部
１６，１６’      第２棚体
２１              収納装置
３１              収納体
５１              基板
１０１            レール
５１１            天板
【図１】
2013165837.tif 000003
【図２】
2013165837.tif 000004
【図３】
2013165837.tif 000005
【図４】
2013165837.tif 000006
【図５】
2013165837.tif 000007
【図６】
2013165837.tif 000008
【図７】
2013165837.tif 000009
【図８】
2013165837.tif 000010
【図９】
2013165837.tif 000011
【図１０】
2013165837.tif 000012
【図１１】
2013165837.tif 000013